(57)【要約】【課題】サーバにおける画像データの保存にかかるコストや画像データの売買にかかる手間やコストを低減することが可能な画像データ売買システムを提供することを目的とする。【解決手段】撮像装置２は、記憶部８に記憶される複数の画像データのうち、買い手が所望する評価基準を満たしている画像データをサーバ４に送信し、サーバ４は、撮像装置２から送信される画像データを端末装置３に送信する。【選択図】図１
2009211136.tif 000002
【特許請求の範囲】
【請求項１】
撮像装置と端末装置とサーバとが互いにネットワークを介してデータを送受信し、前記撮像装置側における売り手と前記端末装置側における買い手とが画像データの売買を行うための画像データ売買システムであって、
前記撮像装置は、
撮像手段と、
前記サーバから送信される評価基準を受信する第１の受信手段と、
前記撮像手段により得られた複数の画像データ及び前記第１の受信手段により受信された評価基準を記憶する第１の記憶手段と、
前記第１の記憶手段に記憶された複数の画像データがそれぞれ前記評価基準を満たしているか否かを判断する画像評価手段と、
前記第１の記憶手段に記憶された複数の画像データのうち、前記評価基準を満たしている画像データを前記サーバに送信する第１の送信手段と、
を備え、
前記端末装置は、
前記評価基準を前記サーバに送信する第２の送信手段と、
前記サーバから送信される画像データを受信する第２の受信手段と、
を備え、
前記サーバは、
前記端末装置から送信される評価基準を受信するとともに、前記撮像装置から送信される画像データを受信する第３の受信手段と、
前記第３の受信手段により受信された評価基準及び画像データを記憶する第２の記憶手段と、
前記第２の記憶手段に記憶された評価基準を前記撮像装置に送信するとともに、前記第２の記憶手段に記憶された画像データを前記端末装置に送信する第３の送信手段と、
を備える
ことを特徴とする画像データ売買システム。
【請求項２】
撮像装置と複数の端末装置とサーバとが互いにネットワークを介してデータを送受信し、前記撮像装置側における売り手と前記端末装置側における買い手とが画像データの売買を行うための画像データ売買システムであって、
前記撮像装置は、
撮像手段と、
前記サーバから送信される複数の評価基準及びそれら評価基準にそれぞれ対応する買値を受信する第１の受信手段と、
前記撮像手段により得られた複数の画像データ、並びに、前記第１の受信手段により受信された複数の評価基準及び複数の買値を記憶する第１の記憶手段と、
前記第１の記憶手段に記憶された複数の評価基準及び複数の買値を表示する表示手段と、
前記表示手段に表示される複数の評価基準の中から前記売り手により選択された評価基準を所定の評価基準として設定する評価基準設定手段と、
前記第１の記憶手段に記憶された複数の画像データがそれぞれ前記所定の評価基準を満たしているか否かを判断する画像評価手段と、
前記第１の記憶手段に記憶された複数の画像データのうち、前記所定の評価基準を満たしている画像データを前記サーバに送信する第１の送信手段と、
を備え、
前記複数の端末装置は、それぞれ、
前記評価基準及び前記買値を前記サーバに送信する第２の送信手段と、
前記サーバから送信される画像データを受信する第２の受信手段と、
を備え、
前記サーバは、
前記複数の端末装置からそれぞれ送信される評価基準及び買値を受信するとともに、前記撮像装置から送信される画像データを受信する第３の受信手段と、
前記第３の受信手段により受信された複数の評価基準、複数の買値、及び画像データを記憶する第２の記憶手段と、
前記第２の記憶手段に記憶された複数の評価基準及び複数の買値を前記撮像装置に送信するとともに、前記第２の記憶手段に記憶された画像データをその画像データに対応する評価基準を送信した前記端末装置に送信する第３の送信手段と、
を備える
ことを特徴とする画像データ売買システム。
【請求項３】
請求項２に記載の撮像データ売買システムであって、
前記サーバは、前記第２の記憶手段に記憶された複数の買値のうち、前記第３の受信手段により受信される画像データに対応する買値を変更する買値変更手段を備え、
前記第３の送信手段は、前記買値変更手段により変更された買値を再度前記撮像装置に送信する
ことを特徴とする撮像データ売買システム。
【請求項４】
請求項２または請求項３に記載の撮像データ売買システムであって、
前記サーバは、前記第２の記憶手段に記憶された評価基準を前記撮像装置の画像フォーマットに応じて変更する評価基準変更手段を備える
ことを特徴とする撮像データ売買システム。
【請求項５】
撮像装置と端末装置とが互いにネットワークを介してデータを送受信し、前記撮像装置側における売り手と前記端末装置側における買い手とが画像データの売買を行うための画像データ売買システムであって、
前記撮像装置は、
撮像手段と、
前記端末装置から送信される評価基準を受信する第１の受信手段と、
前記撮像手段により得られた複数の画像データ及び前記第１の受信手段により受信された評価基準を記憶する第１の記憶手段と、
前記第１の記憶手段に記憶された複数の画像データがそれぞれ前記評価基準を満たしているか否かを判断する画像評価手段と、
前記第１の記憶手段に記憶された複数の画像データのうち、前記評価基準を満たしている画像データを前記端末装置に送信する第１の送信手段と、
を備え、
前記端末装置は、
前記評価基準を前記撮像装置に送信する第２の送信手段と、
前記撮像装置から送信される画像データを受信する第２の受信手段と、
を備える
ことを特徴とする画像データ売買システム。
【請求項６】
撮像装置と複数の端末装置とが互いにネットワークを介してデータを送受信し、前記撮像装置側における売り手と前記端末装置側における買い手とが画像データの売買を行うための画像データ売買システムであって、
前記撮像装置は、
撮像手段と、
前記複数の端末装置からそれぞれ送信される複数の評価基準及びそれら評価基準にそれぞれ対応する買値を受信する第１の受信手段と、
前記撮像手段により得られた複数の画像データ、並びに、前記第１の受信手段により受信された複数の評価基準及び複数の買値を記憶する第１の記憶手段と、
前記第１の記憶手段に記憶された複数の評価基準及び複数の買値を表示する表示手段と、
前記表示手段に表示される複数の評価基準の中から前記売り手により選択された評価基準を所定の評価基準として設定する評価基準設定手段と、
前記第１の記憶手段に記憶された複数の画像データがそれぞれ前記所定の評価基準を満たしているか否かを判断する画像評価手段と、
前記第１の記憶手段に記憶された複数の画像データのうち、前記所定の評価基準を満たしている画像データをその画像データに対応する評価基準を送信した前記端末装置に送信する第１の送信手段と、
を備え、
前記複数の端末装置は、それぞれ、
前記評価基準及び前記買値を前記撮像装置に送信する第２の送信手段と、
前記撮像装置から送信される画像データを受信する第２の受信手段と、
を備える
ことを特徴とする画像データ売買システム。
【発明の詳細な説明】
【技術分野】
【０００１】
本発明は、撮像装置側における売り手と端末装置側における買い手とが画像データの売買を行うための画像データ売買システムに関する。
【背景技術】
【０００２】
無線ＬＡＮ搭載のデジタルカメラやネットワークに無線で接続可能なカメラ付き携帯電話では、撮像素子によって得られた画像データに対して画像処理や圧縮処理を施し、内部メモリに一旦記憶した後、遠隔地のサーバにネットワークを介して送信するものがある。サーバに集められた画像データは、サーバにネットワークを介してアクセス可能な他のユーザと共有されたり、高度な画像処理が施された後、再びデジタルカメラや携帯電話に送信されたりする。このように、クライアント−サーバ型のシステムは既に存在している。
【０００３】
ところで、このようなクライアント−サーバ型のシステムを利用して、画像データの売買を行うための画像データ売買システムがある。例えば、売り手側がデジタルカメラなどで撮影した画像データをサーバにアップロードして公開し、買い手側が公開された画像データの閲覧時に、追加撮影の要望を売り手側に指示するという画像データ売買システムがある（例えば、特許文献１参照）。
【特許文献１】特開２００２−３６９０６９号公報
【発明の開示】
【発明が解決しようとする課題】
【０００４】
しかしながら、上述のような画像データ売買システムでは、撮影した画像データを全て一旦サーバに送信する必要があり、サーバにおける画像データの保存にコストがかかるという問題がある。
【０００５】
また、上述のような画像データ売買システムでは、公開された全ての画像を買い手が評価した後、売り手と買い手が直接売買の交渉をする必要があり、売買に手間やコストがかかるという問題がある。
【０００６】
そこで、本発明では、サーバにおける画像データの保存にかかるコストや画像データの売買にかかる手間やコストを低減することが可能な画像データ売買システムを提供することを目的とする。
【課題を解決するための手段】
【０００７】
上記の課題を解決するために本発明では、以下のような構成を採用した。
すなわち、本発明の画像データ売買システムは、撮像装置と端末装置とサーバとが互いにネットワークを介してデータを送受信し、前記撮像装置側における売り手と前記端末装置側における買い手とが画像データの売買を行うための画像データ売買システムであって、前記撮像装置は、撮像手段と、前記サーバから送信される評価基準を受信する第１の受信手段と、前記撮像手段により得られた複数の画像データ及び前記第１の受信手段により受信された評価基準を記憶する第１の記憶手段と、前記第１の記憶手段に記憶された複数の画像データがそれぞれ前記評価基準を満たしているか否かを判断する画像評価手段と、前記第１の記憶手段に記憶された複数の画像データのうち、前記評価基準を満たしている画像データを前記サーバに送信する第１の送信手段とを備え、前記端末装置は、前記評価基準を前記サーバに送信する第２の送信手段と、前記サーバから送信される画像データを受信する第２の受信手段とを備え、前記サーバは、前記端末装置から送信される評価基準を受信するとともに、前記撮像装置から送信される画像データを受信する第３の受信手段と、前記第３の受信手段により受信された評価基準及び画像データを記憶する第２の記憶手段と、前記第２の記憶手段に記憶された評価基準を前記撮像装置に送信するとともに、前記第２の記憶手段に記憶された画像データを前記端末装置に送信する第３の送信手段とを備える。
【０００８】
また、本発明の画像データ売買システムは、撮像装置と複数の端末装置とサーバとが互いにネットワークを介してデータを送受信し、前記撮像装置側における売り手と前記端末装置側における買い手とが画像データの売買を行うための画像データ売買システムであって、前記撮像装置は、撮像手段と、前記サーバから送信される複数の評価基準及びそれら評価基準にそれぞれ対応する買値を受信する第１の受信手段と、前記撮像手段により得られた複数の画像データ、並びに、前記第１の受信手段により受信された複数の評価基準及び複数の買値を記憶する第１の記憶手段と、前記第１の記憶手段に記憶された複数の評価基準及び複数の買値を表示する表示手段と、前記表示手段に表示される複数の評価基準の中から前記売り手により選択された評価基準を所定の評価基準として設定する評価基準設定手段と、前記第１の記憶手段に記憶された複数の画像データがそれぞれ前記所定の評価基準を満たしているか否かを判断する画像評価手段と、前記第１の記憶手段に記憶された複数の画像データのうち、前記所定の評価基準を満たしている画像データを前記サーバに送信する第１の送信手段とを備え、前記複数の端末装置は、それぞれ、前記評価基準及び前記買値を前記サーバに送信する第２の送信手段と、前記サーバから送信される画像データを受信する第２の受信手段とを備え、前記サーバは、前記複数の端末装置からそれぞれ送信される評価基準及び買値を受信するとともに、前記撮像装置から送信される画像データを受信する第３の受信手段と、前記第３の受信手段により受信された複数の評価基準、複数の買値、及び画像データを記憶する第２の記憶手段と、前記第２の記憶手段に記憶された複数の評価基準及び複数の買値を前記撮像装置に送信するとともに、前記第２の記憶手段に記憶された画像データをその画像データに対応する評価基準を送信した前記端末装置に送信する第３の送信手段とを備える。
【０００９】
また、前記サーバは、前記第２の記憶手段に記憶された複数の買値のうち、前記第３の受信手段により受信される画像データに対応する買値を変更する買値変更手段を備え、前記第３の送信手段は、前記買値変更手段により変更された買値を再度前記撮像装置に送信するように構成してもよい。
【００１０】
また、前記サーバは、前記第２の記憶手段に記憶された評価基準を前記撮像装置の画像フォーマットに応じて変更する評価基準変更手段を備えるように構成してもよい。
また、本発明の画像データ売買システムは、撮像装置と端末装置とが互いにネットワークを介してデータを送受信し、前記撮像装置側における売り手と前記端末装置側における買い手とが画像データの売買を行うための画像データ売買システムであって、前記撮像装置は、撮像手段と、前記端末装置から送信される評価基準を受信する第１の受信手段と、前記撮像手段により得られた複数の画像データ及び前記第１の受信手段により受信された評価基準を記憶する第１の記憶手段と、前記第１の記憶手段に記憶された複数の画像データがそれぞれ前記評価基準を満たしているか否かを判断する画像評価手段と、前記第１の記憶手段に記憶された複数の画像データのうち、前記評価基準を満たしている画像データを前記端末装置に送信する第１の送信手段とを備え、前記端末装置は、前記評価基準を前記撮像装置に送信する第２の送信手段と、前記撮像装置から送信される画像データを受信する第２の受信手段とを備える。
【００１１】
また、本発明の画像データ売買システムは、撮像装置と複数の端末装置とが互いにネットワークを介してデータを送受信し、前記撮像装置側における売り手と前記端末装置側における買い手とが画像データの売買を行うための画像データ売買システムであって、前記撮像装置は、撮像手段と、前記複数の端末装置からそれぞれ送信される複数の評価基準及びそれら評価基準にそれぞれ対応する買値を受信する第１の受信手段と、前記撮像手段により得られた複数の画像データ、並びに、前記第１の受信手段により受信された複数の評価基準及び複数の買値を記憶する第１の記憶手段と、前記第１の記憶手段に記憶された複数の評価基準及び複数の買値を表示する表示手段と、前記表示手段に表示される複数の評価基準の中から前記売り手により選択された評価基準を所定の評価基準として設定する評価基準設定手段と、前記第１の記憶手段に記憶された複数の画像データがそれぞれ前記所定の評価基準を満たしているか否かを判断する画像評価手段と、前記第１の記憶手段に記憶された複数の画像データのうち、前記所定の評価基準を満たしている画像データをその画像データに対応する評価基準を送信した前記端末装置に送信する第１の送信手段とを備え、前記複数の端末装置は、それぞれ、前記評価基準及び前記買値を前記撮像装置に送信する第２の送信手段と、前記撮像装置から送信される画像データを受信する第２の受信手段とを備える。
【発明の効果】
【００１２】
本発明によれば、撮像装置側における売り手と端末装置側における買い手とが画像データの売買を行うための画像データ売買システムにおいて、サーバにおける画像データの保存にかかるコストや画像データの売買にかかる手間やコストを低減することができる。
【発明を実施するための最良の形態】
【００１３】
以下、図面を用いて本発明の実施形態を説明する。
図１は、本発明の実施形態の画像データ売買システムを示す図である。
図１に示す画像データ売買システム１は、撮像装置２と、端末装置３と、サーバ４とを備えて構成され、それらはネットワーク５を介して互いにデータを送受信する。
【００１４】
上記撮像装置２は、撮像部６と、送受信部７と、記憶部８と、表示部９と、画像評価部１０とを備えて構成されている。
上記撮像部６は、撮像素子、画像処理部、及び圧縮部などを備えて構成され、被写体を撮影した画像データを出力する。
【００１５】
上記送受信部７は、サーバ４から送信される評価基準を受信する。
上記記憶部８は、撮像部６から出力される画像データを複数記憶するとともに、送受信部７により受信された評価基準を記憶する。
【００１６】
上記表示部９は、記憶部８に記憶された画像データや評価基準を表示する。
上記画像評価部１０は、記憶部８に記憶された複数の画像データがそれぞれ上記評価基準を満たしているか否かを判断する。
【００１７】
そして、送受信部７は、記憶部８に記憶された複数の画像データのうち上記評価基準を満たしている画像データをサーバ４に送信する。
上記端末装置３は、送受信部１１と、記憶部１２とを備えて構成されている。
【００１８】
上記送受信部１１は、評価基準をサーバ４に送信するとともに、サーバ４から送信される画像データを受信する。例えば、送受信部１１は、買い手（端末装置３のユーザ）が所望する被写体の画像データとして山の風景の画像データを特定するために必要なデータ（例えば、山の大きさや山の形を特定するために必要なデータ）を示す評価基準とその山の風景の画像データの買値をサーバ４に送信する。なお、上記評価基準には、買い手が所望する露出の値などが含まれていてもよい。
【００１９】
上記記憶部１２は、送受信部１１により受信された画像データを記憶する。
上記サーバ４は、送受信部１３と、記憶部１４とを備えて構成されている。
上記送受信部１３は、端末装置３から送信される評価基準や撮像装置２から送信される画像データを受信するとともに、撮像装置２に評価基準を送信する。
【００２０】
上記記憶部１４は、送受信部１３により受信された画像データ及び評価基準を記憶する。
まず、買い手は、評価基準とその評価基準に対応する買値を端末装置３によりサーバ４に送信する。サーバ４に送信された評価基準及び買値は、サーバ４の記憶部１４に記憶される。
【００２１】
次に、記憶部１４に記憶された評価基準及び買値は、サーバ４から撮像装置２に送信され、撮像装置２の記憶部８に記憶される。
次に、売り手（撮像装置２１のユーザ）は、撮像装置２の表示部９に表示される評価基準を確認し、その評価基準が満たされるように撮像装置２を操作し撮影を行う。撮影された画像データは、撮像装置２の記憶部８に記憶される。
【００２２】
次に、記憶部８に記憶された画像データは、画像評価部１０により評価基準が満たされているか否かが判断される。
そして、評価基準が満たされた画像データは、撮像装置２からサーバ４に送信された後、サーバ４から端末装置３に送信される。
【００２３】
このように構成される本実施形態の画像データ売買システム１によれば、買い手が要求する評価基準を満たした画像データのみがサーバに蓄積されるので、サーバ４における画像データの保存に必要なコストを低減することができる。
【００２４】
また、本実施形態の画像データ売買システム１によれば、撮像装置２において撮影した画像データが評価基準を満たしていると判断され、その画像データが端末装置に送信されることにより売買が成立するため、売り手による画像データの公開及び買い手による閲覧後に売り手と買い手が直接売買の交渉する必要がなくなるので、画像データの売買にかかる手間やコストを低減することができる。
【００２５】
図２は、本発明の他の実施形態の画像データ売買システムを示す図である。なお、図１に示す構成と同じ構成には同じ符号を付している。
図２に示す画像データ売買システム２０は、撮像装置２１と、Ａ社に備えられる端末装置２２と、Ｂ社に備えられる端末装置２３と、Ｃ社に備えられる端末装置２４と、サーバ２５とを備え、それらはネットワーク５を介して互いにデータを送受信する。
【００２６】
上記撮像装置２１は、撮像部６と、送受信部２６と、記憶部２７と、表示部２８と、評価基準設定部２９と、画像評価部３０とを備えて構成されている。
上記送受信部２６は、サーバ２５から送信される複数の評価基準とそれら評価基準にそれぞれ対応する買値とを受信する。
【００２７】
上記記憶部２７は、撮像部６から出力される画像データを複数記憶するとともに、送受信部２６により受信された複数の評価基準及び複数の買値を記憶する。
上記表示部２８は、記憶部２７に記憶された画像データや複数の評価基準及び複数の買値を表示する。
【００２８】
上記評価基準設定部２９は、表示部２８に表示される複数の評価基準の中から画像データの売り手により選択された評価基準を所定の評価基準として設定する。
上記画像評価部３０は、記憶部２７に記憶された複数の画像データがそれぞれ上記所定の評価基準を満たしているか否かを判断する。
【００２９】
そして、送受信部２６は、記憶部２７に記憶される複数の画像データのうち上記所定の評価基準を満たしている画像データをサーバ２５に送信する。
上記端末装置２２〜２４は、それぞれ、送受信部３１と、記憶部３２とを備えて構成されている。
【００３０】
上記送受信部３１は、評価基準とその評価基準に対応する買値とをサーバ２５に送信するとともに、サーバ２５から送信される画像データを受信する。例えば、端末装置２２の送受信部３１は、Ａ社における買い手が所望する被写体の画像データとして山の風景の画像データを特定するために必要なデータを示す評価基準とその山の風景の画像データの買値をサーバ２５に送信する。また、端末装置２３の送受信部３１は、Ｂ社における買い手が所望する被写体の画像データとして動物の画像データを特定するために必要なデータ（例えば、ライオンなど動物の種類を特定するために必要なデータ）を示す評価基準とその動物の画像データの買値をサーバ２５に送信する。また、端末装置２４の送受信部３１は、Ｃ社における買い手が所望する被写体の画像データとして人物の画像データを特定するために必要なデータ（例えば、子供の笑顔など人物の年齢や表情を特定するために必要なデータ）を示す評価基準とその人物の画像データの買値をサーバ２５に送信する。
【００３１】
上記記憶部３２は、送受信部３１により受信された画像データを記憶する。
上記サーバ２５は、送受信部３３と、記憶部３４とを備えて構成されている。
上記送受信部３３は、撮像装置２１から送信される画像データや端末装置２２〜２４からそれぞれ送信される評価基準及び買値を受信するとともに、撮像装置２１に複数の評価基準及び複数の買値を送信する。
【００３２】
上記記憶部３４は、送受信部３３により受信された画像データ、複数の評価基準、及び複数の買値を記憶する。
まず、Ａ社〜Ｃ社の各買い手は、それぞれ、評価基準とその評価基準に対応する買値を端末装置２２〜２４によりサーバ２５に送信する。サーバ２５に送信された複数の評価基準及び複数の買値は、サーバ２５の記憶部３４に記憶される。
【００３３】
次に、記憶部３４に記憶された複数の評価基準及び複数の買値は、サーバ２５から撮像装置２１に送信され、撮像装置２１の記憶部２７に記憶される。
次に、売り手は、撮像装置２１の表示部２８に表示される複数の評価基準及び複数の買値の中から所望な評価基準及び所望な買値を選択するとともに、その選択した評価基準が満たされるように撮像装置２１を操作し撮影を行う。選択された評価基準は、撮像装置２１の評価基準設定部２９により所定の評価基準として設定される。また、撮影された画像データは、撮像装置２１の記憶部２７に記憶される。
【００３４】
次に、記憶部２７に記憶された画像データは、画像評価部３０により所定の評価基準が満たされているか否かが判断される。
そして、所定の評価基準が満たされた画像データは、撮像装置２１からサーバ２５に送信された後、サーバ２５から端末装置２２〜２４の何れかに送信される。
【００３５】
このように構成される本実施形態の画像データ売買システム２０によれば、上記画像データ売買システム１と同様に、サーバ２５における画像データの保存に必要なコストを低減することができるとともに、画像データの売買にかかる手間やコストを低減することができる。
【００３６】
また、本実施形態の画像データ売買システム２０によれば、複数の評価基準の中から売り手の所望する評価基準及び買値を選択することができるので、売り手は自分の得意とする被写体を撮影したり、自分の希望する報酬を得ることができる。
【００３７】
図３は、本発明のさらに他の実施形態の画像データ売買システムを示す図である。なお、図２に示す構成と同じ構成には同じ符号を付している。
図３に示す画像データ売買システム４０において、図２に示す画像データ売買システム２０と異なる点は、サーバ２５が買値変更部４１を備えている点である。
【００３８】
上記買値変更部４１は、送受信部３３により受信される画像データに対応する買値を変更する。そして、送受信部３３は、買値変更部４１により変更された買値を撮像装置２１に送信する。例えば、撮像装置２１からサーバ２５に画像データが送信されると、その画像データに対応する買値は、買値変更部４１により所定の買値またはゼロに下げられた後、送受信部３３により撮像装置２１に再度送信される。これにより、買い手は、所望の画像データを取得した後、その取得した画像データと同じような画像データを最初の買値と同じ買値で買うことを防止することができる。
【００３９】
まず、Ａ社〜Ｃ社の各買い手は、それぞれ、評価基準とその評価基準に対応する買値を端末装置２２〜２４によりサーバ２５に送信する。サーバ２５に送信された複数の評価基準及び複数の買値は、サーバ２５の記憶部３４に記憶される。
【００４０】
次に、記憶部３４に記憶された複数の評価基準及び複数の買値は、サーバ２５から撮像装置２１に送信され、撮像装置２１の記憶部２７に記憶される。
次に、売り手は、撮像装置２１の表示部２８に表示される複数の評価基準及び複数の買値の中から所望な評価基準及び所望な買値を選択するとともに、その選択した評価基準が満たされるように撮像装置２を操作し撮影を行う。選択された評価基準は、撮像装置２１の評価基準設定部２９により所定の評価基準として設定される。また、撮影された画像データは、撮像装置２１の記憶部２７に記憶される。このとき、撮影された画像データがすでに記憶部２７に記憶されていると、サーバ２５の買値変更部４１によりその画像データに対応する買値が変更され、その変更された買値が再度サーバ２５から撮像装置２１に送信される。そして、変更された買値が撮像装置２１に受信されると、撮像装置２１は、記憶部２７に記憶されている買値を変更された買値に更新する。
【００４１】
次に、記憶部２７に記憶された画像データは、画像評価部３０により所定の評価基準が満たされているか否かが判断される。
そして、所定の評価基準が満たされた画像データは、撮像装置２１からサーバ２５に送信された後、サーバ２５から端末装置２２〜２４の何れかに送信される。
【００４２】
このように構成される画像データ売買システム４０によれば、上記画像データ売買システム１と同様に、サーバ２５における画像データの保存に必要なコストや画像データの売買にかかる手間やコストを低減することができる。
【００４３】
図４は、本発明のさらに他の実施形態の画像データ売買システムを示す図である。なお、図２に示す構成と同じ構成には同じ符号を付している。
図４に示す画像データ売買システム５０において、図２に示す画像データ売買システム２０と異なる点は、サーバ２５が評価基準変更部５１を備えている点である。
【００４４】
上記評価基準変更部５１は、記憶部３４に記憶された評価基準を撮像装置２１の画像フォーマットに応じて変更する。そして、送受信部３３は、評価基準変更部５１により変更された評価基準を撮像装置２１に送信する。例えば、サーバ２５の記憶部３４に記憶されている全ての評価基準は、評価基準変更部５１により撮像装置２１の画像フォーマットに応じて変更された後、送受信部３３により撮像装置２１に送信される。これにより、画像フォーマットが異なる他の撮像装置に対しても撮像装置２１に送信した評価基準と同様の評価基準を送信することができる。また、撮像装置２１側で評価基準を画像フォーマットに応じて変更する必要がないため、撮像装置２１の構成を簡単にすることができる。
【００４５】
まず、Ａ社〜Ｃ社の各買い手は、それぞれ、評価基準とその評価基準に対応する買値を端末装置２２〜２４によりサーバ２５に送信する。サーバ２５に送信された複数の評価基準及び複数の買値は、サーバ２５の記憶部３４に記憶される。このとき、記憶部３４に記憶される各評価基準及び各買値は、サーバ２５の評価基準変更部５１により撮像装置２１の画像フォーマットに応じて変更される。
【００４６】
次に、記憶部３４に記憶された各評価基準及び各買値は、サーバ２５から撮像装置２１に送信され、撮像装置２１の記憶部３２に記憶される。
次に、売り手は、撮像装置２１の表示部９に表示される複数の評価基準及び複数の買値の中から所望な評価基準及び所望な買値を選択するとともに、その選択した評価基準が満たされるように撮像装置２を操作し撮影を行う。選択された評価基準は、撮像装置２１の評価基準設定部２９により所定の評価基準として設定される。また、撮影された画像データは、撮像装置２１の記憶部２７に記憶される。
【００４７】
次に、記憶部２７に記憶された画像データは、画像評価部３０により所定の評価基準が満たされているか否かが判断される。
そして、所定の評価基準が満たされた画像データは、撮像装置２１からサーバ２５に送信された後、サーバ２５から端末装置２２〜２４の何れかに送信される。
【００４８】
このように構成される画像データ売買システム５０によれば、上記画像データ売買システム１と同様に、サーバ２５における画像データの保存に必要なコストや画像データの売買にかかる手間やコストを低減することができる。
【００４９】
なお、上記画像データ売買システム１、２０、４０、５０では、サーバを介して撮像装置と端末装置との間でデータが送受信される構成であるが、サーバを介さずに撮像装置と端末装置との間でデータが送受信されるように構成してもよい。
【図面の簡単な説明】
【００５０】
【図１】本発明の実施形態の画像データ売買システムを示す図である。
【図２】本発明の他の実施形態の画像データ売買システムを示す図である。
【図３】本発明のさらに他の実施形態の画像データ売買システムを示す図である。
【図４】本発明のさらに他の実施形態の画像データ売買システムを示す図である。
【符号の説明】
【００５１】
１  画像データ売買システム
２  撮像装置
３  端末装置
４  サーバ
５  ネットワーク
６  撮像部
７  送受信部
８  記憶部
９  表示部
１０  画像評価部
１１  送受信部
１２  記憶部
１３  送受信部
１４  記憶部
２０  画像データ売買システム
２１  撮像装置
２２〜２４  端末装置
２５  サーバ
２６  送受信部
２７  記憶部
２８  表示部
２９  評価基準設定部
３０  画像評価部
３１  送受信部
３２  記憶部
３３  送受信部
３４  記憶部
４０  画像データ売買システム
４１  買値変更部
５０  画像データ売買システム
５１  評価基準変更部
【図１】
2009211136.tif 000003
【図２】
2009211136.tif 000004
【図３】
2009211136.tif 000005
【図４】
2009211136.tif 000006